(57)【要約】【課題】  街燈光，太陽光等の外光によってゴースト像が発生する虞が少ない車両用表示装置を提供する。【解決手段】  発光型表示器１０は、表示光Ｌを発する。透光性部材２０は、表示光Ｌを透過させる。第一の反射部材３０は、透光性部材２０を透過した表示光Ｌを反射させる。ハウジング８０は、第一の反射部材３０で反射された表示光Ｌが通過する開口部８１ｃを有し、発光型表示器１０と透光性部材２０と第一の反射部材３０とを収容する。第二の反射部材５１は、第一の反射部材３０で反射され開口部８１ｃを通過した表示光Ｌを反射させる。排出部材４０は、ハウジング８０の開口部８１ｃから侵入した液体をハウジング８０の外に排出するための排出部４３を有する。【選択図】図１
2005289098.tif 000002
【特許請求の範囲】
【請求項１】
表示光を発する発光型表示器と、前記表示光を透過させる透光性部材と、前記透光性部材を透過した前記表示光を反射させる第一の反射部材と、前記第一の反射部材で反射された前記表示光が通過する開口部を有し前記発光型表示器と前記透光性部材と前記第一の反射部材とを収容するハウジングと、前記第一の反射部材で反射され前記開口部を通過した前記表示光を反射させる第二の反射部材と、を有することを特徴とする車両用表示装置。
【請求項２】
表示光を発する発光型表示器と、前記表示光を透過させる透光性部材と、前記透光性部材を透過した前記表示光を反射させる第一の反射部材と、前記第一の反射部材で反射された前記表示光が通過する開口部を有し前記発光型表示器と前記透光性部材と前記第一の反射部材とを収容するハウジングと、前記第一の反射部材で反射され前記開口部を通過した前記表示光を反射させる第二の反射部材と、前記ハウジングの前記開口部から侵入した液体を前記ハウジングの外に排出するための排出部を前記第一の反射部材の下端側に設けた排出部材と、を有することを特徴とする車両用表示装置。
【請求項３】
前記排出部材は、前記透光性部材及び前記第一の反射部材の少なくとも一方を保持する保持部を有することを特徴とする請求項２に記載の車両用表示装置。
【請求項４】
前記透光性部材は、湾曲形状であることを特徴とする請求項１または請求項２に記載の車両用表示装置。
【発明の詳細な説明】
【技術分野】
【０００１】
本発明は、車両用表示装置に関するものであり、特に、発光型表示器が発した表示光を反射させて虚像を表示する車両用表示装置に関するものである。
【背景技術】
【０００２】
従来より、蛍光表示管等の発光型表示器が発した表示光を反射させて虚像を表示するヘッドアップディスプレイ装置が種々提案されており、例えば特許文献１に開示されている。ヘッドアップディスプレイ装置は、車両のダッシュボード１に配設されており、発光型表示器２が発した表示光Ｌを反射ミラー３で反射させて虚像Ｖを表示させるものである（図５参照）。
【特許文献１】実開昭６３−９０４１号公報
【０００３】
発光型表示器２はハウジング５に収容されており、このハウジング５には窓部５ａが設けられている（図６参照）。窓部５ａは、アクリル等の透光性樹脂からなるものであり、発光型表示器２が発した表示光Ｌを透過させる。窓部５ａは、ハウジング５の内部に塵埃が入ることを防ぐものであって、塵埃が発光型表示器２の表示面に付着して表示品位が低下することを防止できる。反射ミラー３は保持部材４に貼着されており、この保持部材４は回動可能な状態でハウジング５に支持され、反射ミラー３が開閉できる構成になっている。
【０００４】
保持部材４には歯車６が固定されており、この歯車６にはモーター７の回動軸７ａに固定された歯車８が噛合されている。反射ミラー３は保持部材４の回動軸４ａを中心にして開閉できるようになっており、ヘッドアップディスプレイ装置を使用しない時には反射ミラー３を閉じておき、使用する時にモーター７の駆動力により反射ミラー３を所定の角度位置まで開けることができる。
【発明の開示】
【発明が解決しようとする課題】
【０００５】
しかしながら、街燈光，太陽光等の外光Ｍが窓部５ａで反射され、更に反射ミラー３で反射されることで、不要な像Ｇが発生し、虚像Ｖの視認の妨げになる虞があった。このような不要な像Ｇは、ゴースト像と称されている。本発明は、ゴースト像が発生する虞が少ない車両用表示装置を提供するものである。
【課題を解決するための手段】
【０００６】
本発明は、前記課題を解決するため、請求項１に記載したように、表示光Ｌを発する発光型表示器１０と、前記表示光Ｌを透過させる透光性部材２０と、前記透光性部材２０を透過した前記表示光Ｌを反射させる第一の反射部材３０と、前記第一の反射部材３０で反射された前記表示光Ｌが通過する開口部８１ｃを有し前記発光型表示器１０と前記透光性部材２０と前記第一の反射部材３０とを収容するハウジング８０と、前記第一の反射部材３０で反射され前記開口部８１ｃを通過した前記表示光Ｌを反射させる第二の反射部材５１と、を有するものである。
【０００７】
また、本発明は、請求項２に記載したように、表示光Ｌを発する発光型表示器１０と、前記表示光Ｌを透過させる透光性部材２０と、前記透光性部材２０を透過した前記表示光Ｌを反射させる第一の反射部材３０と、前記第一の反射部材３０で反射された前記表示光Ｌが通過する開口部８１ｃを有し前記発光型表示器１０と前記透光性部材２０と前記第一の反射部材３０とを収容するハウジング８０と、前記第一の反射部材３０で反射され前記開口部８１ｃを通過した前記表示光Ｌを反射させる第二の反射部材５１と、前記ハウジング８０の前記開口部８１ｃから侵入した液体を前記ハウジング８０の外に排出するための排出部４３を前記第一の反射部材２０の下端側に設けた排出部材４０と、を有するものである。
【０００８】
また、本発明は、請求項３に記載したように、前記排出部材４０は、前記透光性部材２０及び前記第一の反射部材３０の少なくとも一方を保持する保持部４１，４２を有するものである。
【０００９】
また、本発明は、請求項４に記載したように、前記透光性部材２０は、湾曲形状であるものである。
【発明の効果】
【００１０】
請求項１に係る発明によれば、街燈光，街燈光，太陽光等の外光が透光性部材に入射したとしても、ゴースト像が発生しないため、虚像を良好に視認することができる。
また、請求項２に係る発明によれば、ゴースト像対策としてハウジング上部に開口部を有する構造としたことにより、その開口部から液体が侵入したとしても、その液体をハウジングの外に排出することができる。
【発明を実施するための最良の形態】
【００１１】
以下、添付の図面に基づいて、本発明の一実施形態を説明する。ヘッドアップディスプレイ装置は、液晶表示器１０（発光型表示器），透光性カバー２０（透光性部材），反射ミラー３０（第一の反射部材），排出部材４０，反射器５０，第一の駆動手段６０，第二の駆動手段７０，ハウジング８０，支持部材９０等で構成されている。
【００１２】
液晶表示器１０は、ＴＦＴ型の液晶表示素子１１及びこの液晶表示素子１１を後方から照明するバックライト１２を有しており、表示光Ｌを発する。液晶表示器１０は、ナイトビジョン情報，ナビゲーション情報等を表示するものである。透光性カバー２０は、透光性樹脂（例えばポリカーボネート）からなる薄板であり、液晶表示器１０側に凸となる湾曲形状となっている。透光性カバー２０は、液晶表示素子１１と略対向するように設けられており、液晶表示器１０が発した表示光Ｌは透光性カバー２０を透過する。透光性カバー２０は、上端２０ａが後述する開口部の近傍に、下端２０ｂが後述する排出部の近傍に位置するように、略垂直な状態で配置されている。
【００１３】
反射ミラー３０は、ガラス基板に反射層を蒸着形成してなるものであり、透光性カバー２０を透過した表示光Ｌを反射器５０に向けて反射させる。反射ミラー３０は、透光性カバー２０と略対向する箇所に配置されている。排出部材４０は、黒色の樹脂からなるものであり、透光性カバー２０を保持する保持部４１と、反射ミラー３０を保持する保持部４２と、貫通孔４３ａが形成された排出部４３と、底壁４４とを有している。排出部材４０の保持部４１には、透光性カバー２０に対応する矩形の開口４１ａが形成されている。
【００１４】
反射器５０は、反射ミラー５１（第二の反射部材）及びこの反射ミラー５１を保持する保持部材５２を有している。反射ミラー５１は、ポリカーボネートからなる樹脂基板に反射層を蒸着形成してなるものであり、反射ミラー３０で反射された表示光Ｌを更に反射させる。保持部材５２は、略扇形状の基部５２ａと、略円柱形状の軸部５２ｂと、反射ミラー５１を貼着する保持部５２ｃと、略扇形状の歯車部５２ｄとを有している。基部５２ａは軸部５２ｂの一端に設けられ、歯車部５２ｄは軸部５２ｂの他端に設けられている。
【００１５】
基部５２ａには、反射器５０が所定の角度位置まで開いたときに後述するレバーの突出部に対向する凹部５２ｅと、反射器５０が閉じたときに前記突出部によって押圧される当接面５２ｆとが形成されている（図３参照）。歯車部５２ｄには、後述するギヤ部材に噛合するギヤ部５２ｇが形成されている（図２参照）。反射器５０の軸部５２ｂはハウジング８０と支持部材９０とによって挟持され、反射器５０が回動可能な状態で支持されている。
【００１６】
第一の駆動手段６０は、直流モーター６１と、この直流モーター６１の回動軸６１ａに固定されたウォーム６４と、このウォーム６４に噛合するウォームホイール部材６５と、このウォームホイール部材６５と同軸に配設されたギヤ部材６６と、を有している。ウォーム６４は、ウォームホイール部材６５に噛合するネジ部６４ａを有している。ギヤ部材６６は、保持部材５２のギヤ部５２ｇに噛合している。
【００１７】
第二の駆動手段７０は、ステッピングモーター７１と、このステッピングモーター７１の回動軸７１ａに固定されたカム７２と、横方向にスライド移動可能な状態でハウジング８０に保持されたフレーム部材７３と、このフレーム部材７３がカム７２に当接するようにフレーム部材７３を引っ張るバネ７４と、フレーム部材７３に軸支されたレバー７５と、レバー７５の先端部に設けられたバネ７６と、を有している。
【００１８】
フレーム部材７３は、バネ７４によって右向きに引っ張られており、当接部７３ａがカム７２に接触している。フレーム部材７３は、カム７２の回動にしたがってスライド移動する。レバー７５は、側面視で略半円形状の突出部７５ａを有しており、後端部に設けられた軸部７５ｂによって回動可能な状態でフレーム部材７３に軸支されている。レバー７５は、先端部に設けられたバネ７６によって上向きに引っ張られており、突出部７５ａが保持部材５２の基部５２ａに接触している。
【００１９】
ハウジング８０は、上ケース８１及び下ケース８２で構成されている。上ケース８１には、保持部材５２を回動可能にするための穴部８１ａと、反射ミラー３０で反射された表示光Ｌを通過させるための開口部８１ｃとが形成されている。下ケース８２には、排出部４３に対応する穴部８２ａが形成されている。検出素子１００は、リミットスイッチ等からなるものであり、レバー７５の突出部７５ａが保持部材５２の凹部５２ｅに嵌まり、反射器５０が所定の角度位置に開いたことを検出する。
【００２０】
支持部材９０は、図示しないビスによって上ケース４１に取付けられている。上ケース８１の穴部８１ａから侵入した液体は、図示しない排出部からハウジング４０の外に排出される。支持部材９０には、軸受け部９０ａが設けられており、保持部材５２の軸部５２ｂは、支持部材９０の軸受け部９０ａと、上ケース８１の軸受け部８１ｂとによって挟持されている。
【００２１】
次に、反射器５０の開閉について詳述する。ヘッドアップディスプレイ装置を使用しない時には反射器５０を閉じておき、使用する時に第一の駆動手段２０によって反射器５０を所定の角度位置まで開くことができる。反射部材１０を開くときには、直流モーター２１の回動軸２１ａが回り、直流モーター２１の駆動力が第一の駆動機構２００を介して保持部材１２に伝えられる。保持部材１２の基部１２ａは、レバー３５の突出部３５ａに当接しながら左回りに回動し、反射器５０が所定の角度位置まで起き上がったときに、レバー２５の突出部３５ａが保持部材１２の凹部１２ｅに嵌まり、反射器５０が位置決めされる。
【００２２】
反射器５０が閉じられるときには、直流モーター２１の回動軸２１ａが回り、直流モーター２１の駆動力が第一の駆動機構２００を介して保持部材１２に伝わり、保持部材１２の基部１２ａが、レバー３５の突出部３５ａに当接しながら右回りに回動する。反射器５０が完全に閉じられたときは、レバー３５の突出部３５ａによって基部１２ａの当接面１２ｆが押圧される。
【００２３】
次に、反射器５０の角度調整について詳述する。反射器５０が所定の角度位置まで開いているときは、図示しない押ボタンスイッチを操作することによって、反射器５０の角度Ａを調整することができる。反射器５０の角度Ａを小さくする場合には、ステッピングモーター７１の回動軸７１ａと共にカム３２が左に回り、フレーム部材３３及びレバー３５が左にスライド移動し、保持部材５２が右回りに回動する。反射器５０の角度Ａを大きくする場合には、ステッピングモーター７１の回動軸７１ａと共にカム７２が右に回り、フレーム部材７３及びレバー７５が右にスライド移動し、保持部材５２が左回りに回動する。
【００２４】
本実施形態では、透光性カバー２０を略垂直に配置したことにより、ハウジング８０の開口部８１ｃから透光性カバー２０に入射した外光Ｍは、排出部材４０の底壁４４に向けて反射され、反射ミラー５１に向かうことがないため、ゴースト像が発生する虞がない。なお、透光性カバー２０を略垂直に配置することは、本実施形態のような光学的なレイアウト、即ち、液晶表示器１０が発した表示光Ｌが透光性カバー２０を透過し、次に、反射ミラー３０によって反射され、透光性カバーが設けられていない開口部８１ｃを通過し、反射ミラー５１によって更に反射されるという光学的なレイアウトによって可能になったものである。
【００２５】
また、ハウジング８０の開口部８１ａから、ハウジング８０の中に侵入した液体は、排出部材４０の排出部４３によって、ハウジング８０の外に排出されるため、例えば、ドライバーが飲み物を零したときに、その飲み物が底壁４４に溜まることがない。
【００２６】
なお、本発明は、本実施形態に限定されるものではなく、例えば、発光型表示器は、有機ＥＬパネルであっても良い。また、本実施形態の反射器５０は反射ミラー５１を有するものであったが、例えば車両のフロントガラス（第二の反射部材）をコンバイナとして用いても良い。また、透光性カバー２０は平板形状であっても良いが、本実施形態の如く湾曲形状であることが望ましく、種々の方向から入射する外光Ｍを底壁４４に向かわせることができる。
【図面の簡単な説明】
【００２７】
【図１】本発明の実施形態を示す断面図。
【図２】同上実施形態を示す断面図。
【図３】同上実施形態を示す断面図。
【図４】同上実施形態を示す断面図。
【図５】従来例を示すヘッドアップディスプレイの概略構成図。
【図６】同上従来例を示す断面図。
【符号の説明】
【００２８】
１０    液晶表示器（発光型表示器）
２０    透光性カバー（透光性部材）
３０    反射ミラー（第一の反射部材）
４０    排出部材
４１    保持部
４２    保持部
４３    排出部
５１    反射ミラー（第二の反射部材）
８１ｃ  開口部
８０    ハウジング
Ｌ    表示光
【図１】
2005289098.tif 000003
【図２】
2005289098.tif 000004
【図３】
2005289098.tif 000005
【図４】
2005289098.tif 000006
【図５】
2005289098.tif 000007
【図６】
2005289098.tif 000008